(57)【要約】【課題】読取対象となる原稿に皺が入っていたとしても、簡易な操作により、原稿の鮮明な撮影画像を撮影できるとともに、該撮影画像内に関連する情報も同時かつ容易に含ませる。【解決手段】読取対象が載置される載置面１に被せられて、載置面１との間に読取対象を挟む透明なカバー部材２と、カバー部材２の表面に設けられた識別表示部３と、識別表示部３の画像とともに読取対象の画像を撮影する画像撮影部４と、画像撮影部４で読み取られる画像情報をカバー部材２が読取対象を覆った後に有効とする制御部５とを有することを特徴とする。【選択図】図１
2019176220.tif 000002
【特許請求の範囲】
【請求項１】
読取対象が載置される載置面に被せられて、載置面との間に読取対象を挟む透明なカバー部材と、
このカバー部材に設けられた識別表示部と、
この識別表示部の画像とともに前記読取対象の画像を撮影する画像撮影部と、
前記画像撮影部で読み取られる画像情報を、前記カバー部材が読取対象を覆った後に有効とする制御部と、を有することを特徴とする画像入力装置。
【請求項２】
前記制御部は、前記画像撮影部で読み取られる画像情報を、前記カバー部材が読取対象を覆ったとの判定がなされた後、に有効とする請求項１に記載の画像入力装置。
【請求項３】
前記識別表示部には、操作者の身分証明書から通信により固有情報を取得する通信手段が具備されることを特徴とする請求項１又は２のいずれか１項に記載の画像入力装置。
【請求項４】
前記制御部は、前記識別表示部で取得した固有情報を操作者データベースと照合して、一致したことを条件として該固有情報を有効とすることを特徴とする請求項１〜３のいずれか１項に記載の画像入力装置。
【請求項５】
前記制御部は、前記識別表示部の撮影画像が、予め記憶された標準画像と所定以上の一致度であることを条件として画像情報を有効とすることを特徴とする請求項１〜４のいずれか１項に記載の画像入力装置。
【請求項６】
前記カバー部材は、前記読取対象を載置面に密着させるために塑性変形可能な材料で形成されていることを特徴とする請求項１〜５のいずれか１項に記載の画像入力装置。
【請求項７】
前記識別表示部には、操作者の固有情報とともに、現在時刻、作業場所などの付加情報が表示されることを特徴とする請求項１〜６のいずれか１項に記載の画像入力装置。
【請求項８】
前記付加情報は、全地球無線測位システムより取得されることを特徴とする請求項７に記載の画像入力装置。
【請求項９】
載置面上に読取対象を挟んだ状態で透明なカバー部材を被せる載置段階と、
操作者に関する固有情報を通信により取得して前記カバー部材の表面に設けられた識別表示部に表示させる情報表示段階と、
前記載置面上の読取対象の画像とともに前記カバー部材上の識別表示部の表示画像を撮影し、その撮影画像を前記カバー部材が読取対象を覆った後に有効とする撮影段階と、を有することを特徴とする画像入力方法。
【発明の詳細な説明】
【技術分野】
【０００１】
本発明は、銀行等の金融機関で使用できる画像入力装置及び画像入力方法に関する。
【背景技術】
【０００２】
テーブル上の原稿を間接的に読み取る装置に関連する技術として、特許文献１に示されるスキャナ装置、特許文献２に示される複写機がある。
【０００３】
特許文献１に示される非接触型スキャナ装置は、読取対象を載置する載置台と、該載置台上に載置された読取対象を撮影するカメラ部とを備えている。
さらに、この非接触型スキャナ装置では、載置台に、読取対象を載置する直方体の載置マットと、該載置マットに載置された読取対象の２辺をガイドするガイドマットと、これらガイドマットと載置マットとの上面を押圧する透明な押え板と、を有している。
【０００４】
特許文献２に示される複写機では、コンタクトガラス上にエレクトロ・クロミック・デイスプレィを用いた付加情報表示器が設けられている。この付加情報表示器では、任意の数字・文字等の情報付加が可能であり、コピー時に、原稿画像の範囲外の基準端縁部の中央にその付加情報を表示させることができる。
【先行技術文献】
【特許文献】
【０００５】
【特許文献１】特開２００８−２３６５６６号公報
【特許文献２】特開平０１−０４４９７３号公報
【発明の概要】
【発明が解決しようとする課題】
【０００６】
ところで、特許文献１に示される非接触型スキャナ装置では、押え板により読取対象となる帳票を押えることができる。
また、特許文献２に示される複写機では、付加情報表示器で付加した任意の数字・文字等の情報を原稿に表示させることができる。
【０００７】
しかしながら、特許文献２の付加情報表示器では手動により逐一、付加情報を入力する必要があり、特許文献１に示される押え板と組み合わせた場合に、種々の操作が必要となって、作業効率が悪くなるという問題が生じる。
例えば、特許文献２では、付加情報として、操作者の名前、時刻、記入場所を手入力するという構成により、効率化が図れないばかりか、入力ミスによる不正確な情報提示となる場合がある。
【０００８】
この発明は、上述した事情に鑑みてなされたものであって、原稿の鮮明な撮影画像とともに関連情報を取り込むことができる画像入力装置及び画像入力方法を提供する。
【課題を解決するための手段】
【０００９】
上記課題を解決するために、この発明は以下の手段を提案している。
本発明の第1態様に示される画像入力装置では、読取対象が載置される載置面に被せられて、載置面との間に読取対象を挟む透明なカバー部材と、このカバー部材に設けられた識別表示部と、この識別表示部の画像とともに前記読取対象の画像を撮影する画像撮影部と、前記画像撮影部で読み取られる画像情報を前記カバー部材が読取対象を覆った後に有効とする制御部と、を有することを特徴とする。
【００１０】
本発明の第２態様に示される画像入力方法では、載置面上に読取対象を挟んだ状態で透明なカバー部材を被せる載置段階と、操作者に関する固有情報を通信により取得して前記カバー部材の表面に設けられた識別表示部に表示させる情報表示段階と、前記載置面上の読取対象の画像とともに前記カバー部材上の識別表示部の表示画像を撮影し、その撮影画像を前記カバー部材が読取対象を覆った後に有効とする撮影段階と、を有することを特徴とする。
【発明の効果】
【００１１】
本発明では、読取対象となる原稿の鮮明な画像撮影とともに関連する情報を取り込むことができる。
【図面の簡単な説明】
【００１２】
【図１】本発明に係る画像入力装置を示す概略構成図である。
【図２】本発明の実施形態に係る画像入力装置を示す概略構成図である。
【図３】操作者の身分証明書から通信により固有情報を取得する様子を示す斜視図である。
【図４】識別表示部の表示例を示す図であって、（Ａ）は会社名と氏名、（Ｂ）は会社名、氏名と日付け、（Ｃ）は会社名、氏名、日付けと住所が示されている。
【図５】カバー部材がタブレット端末と接続された例を示す斜視図である。
【図６】実施形態の動作を示すフローチャートである。
【図７】図６とはステップ内容が部分的に異なる動作内容を示すフローチャートである。
【発明を実施するための形態】
【００１３】
本発明に係る画像入力装置１００及び画像入力方法の最少構成例について図１を参照して説明する。
この画像入力装置１００は、載置面１、カバー部材２、識別表示部３、画像撮影部４及び制御部５を主な構成要素とする。
【００１４】
載置面１は読取対象となる原稿Ｍが載置される、例えば、画像読み取り装置、テーブル等の上面である。
カバー部材２は、原稿Ｍが載置される載置面１に被せられて、載置面１との間に原稿Ｍを挟むための透明なシートである。
識別表示部３はカバー部材２の表面に文字が設けられるものであって、操作者に関する固有情報などが表示される。
画像撮影部４は、載置面１上の原稿Ｍの画像とともに、カバー部材２の識別表示部３に表示される画像を撮影するためのものである。
【００１５】
制御部５は、画像撮影部４で読み取られる画像情報をカバー部材２が原稿Ｍを覆った後に有効とするものである。
このとき、制御部５は、画像撮影部４で読み取られる画像情報によりカバー部材２が原稿Ｍを覆ったか否かを判断できる。
カバー部材２では、文字で描かれる文字板からなる識別表示部３を設ける他、操作者に関する固有情報を通信により取得して表示させる識別表示部３を設けて良い（通信信号を符号６で示す）。
【００１６】
そして、以上のような画像入力装置１００によれば、載置面１に原稿Ｍを挟む透明なカバー部材２が載置可能であるので、原稿Ｍとなる原稿に皺がある場合に、カバー部材２に作用する重力により皺が引き伸ばされる。
これにより、上記画像入力装置１００では、皺の凹凸により撮影画像に陰影が生じて、字が歪んでしまう不具合発生を防止することができ、画像撮影部４にて鮮明な画像撮影を行うことができる。
【００１７】
また、上記画像入力装置１００では、カバー部材２が透明な材料で形成されているので、載置面１上の原稿Ｍをカバー部材２が覆ったとしても、画像撮影部４による原稿Ｍの画像撮影に支障が生じることがなく、光学文字認識（ＯＣＲ：Optical Character Recognition）などでの誤読や不読発生を未然に防止することができる。
【００１８】
また、上記画像入力装置１００では、画像撮影部４において、載置面１上の原稿Ｍの画像とともにカバー部材２上に位置する識別表示部３の画像を同時に撮影することができるので、原稿Ｍの画像中に、識別表示部３の画像を容易に入れ込むことができる。
このとき、識別表示部３の表示は、文字で描かれた情報の他、操作者に関する固有情報を通信により取得したものが使用できるので、操作者が面倒な操作をすることなく、自身の正確な固有情報を原稿Ｍの画像中に入れ込むことが可能となる。
さらに、上記画像入力装置１００では、画像撮影部４で読み取られる画像情報を、カバー部材２が原稿Ｍを覆った後に有効とするので、画像中に固有情報を確実に入れ込むことが可能となって、装置の信頼性も向上する。
【００１９】
すなわち、上記画像入力装置１００では、原稿Ｍとなる原稿に皺が入っていたとしても、原稿Ｍにカバー部材２を被せるという簡易な操作により、原稿Ｍの鮮明な画像撮影を可能とするとともに、当該画像内に操作者の固有情報等の関連する情報も同時に含ませることができる、作業性及び信頼性の高い画像入力装置を実現できる。
【００２０】
（実施形態）
本発明の実施形態に係る画像入力装置１０１について図２〜図７を参照して説明する。
本実施形態に係わる画像入力装置１０１は、図２に示されるように、載置面１１、カバー部材１２、識別表示部１３、画像撮影部１４及び識別表示部１３を制御するシート制御部１５を主な構成要素とする。
【００２１】
載置面１１は読取対象となる原稿Ｍが載置される領域であって、テーブル、画像読み取り装置等の上に形成される。なお、この領域は表面を他の領域と異なる色に着色することや、周囲の他の領域と高さの異なる縁部を設けるなどして他の領域と区別すると良い。
【００２２】
カバー部材１２は、原稿Ｍが載置される載置面１１に被せられて、載置面１１との間に原稿Ｍを挟むための透明なシートである。なお、カバー部材１２は、原稿Ｍを載置面１１に密着させるために塑性変形可能な材料、例えばシリコンシート等で形成されている。
【００２３】
識別表示部１３はカバー部材１２の表面に設けられる有機ＥＬ（Organic Light-Emitting Polymer）などのフレキシブルディスプレイからなるものであって、操作者に関する固有情報などが表示される。
また、識別表示部１３には、図２及び図３に示されるような、操作者の身分証明書２０から通信により固有情報を取得する通信手段２１（例えば、近距離無線通信（ＮＦＣ：Near Field Communication））とともに、全地球無線測位システム２２（ＧＰＳ：Global Positioning System）などが備えられる。
そして、この識別表示部１３では、通信手段２１を介して、操作者の身分証明書２０のＩＣ（Integrated Circuit）チップ２３に内蔵された固有情報を受信及び表示するとともに、全地球無線測位システム２２を介して、現在時刻、作業場所などの付加情報が表示される。
【００２４】
なお、通信手段２１により受信される固有情報としては、会社名、所属、氏名、社員番号などがある。
例えば、図４（Ａ）には会社名と氏名が示された表示例が示され、図４（Ｂ）には会社名、氏名とともに現在の日にちが示された表示例が示されている。図４（Ｃ）には会社名、氏名、会社住所とともに現在の日にちが示された表示例が示されている。
【００２５】
画像撮影部１４は、載置面１１上の原稿Ｍの画像とともに、識別表示部１３に表示される画像を撮影するためのものである。
具体的には、画像撮影部１４は、デスク上に配置されるスタンド１６と、該スタンド１６から上部に延びるアーム１７と、アーム１７の先端に設けられた撮影カメラ１８とを有する。この撮影カメラ１８の読取領域は、原稿Ｍが載置される載置面１１に合致するように設定されている。
【００２６】
一方、シート制御部１５は、操作者に関する固有情報を通信手段２１により取得して識別表示部１３に表示させるとともに、画像撮影部１４で読み取られる画像情報を、識別表示部１３への表示後、予め設定した一定時間経過後に有効とするものである。これにより、シート制御部１５では、原稿Ｍの読取画像中に固有情報を確実に入れ込むことが可能となって、装置の信頼性を向上させることを可能とする。なお一定時間経過後に有効とする構成に代えて、あるいはこれと併用して、カバー部材が正しく被せられたことを操作者が確認してスイッチを操作する構成、カバー部材が正しく被せられて所定位置に存在することをセンサ等で検出する構成を採用しても良い。
なお、原稿Ｍの読取画像中に固有情報を入れ込むという処理は、以前より使用されてきた印鑑を押す作業に相当する。
【００２７】
また、シート制御部１５は、図５で示すようなタブレット端末３０と接続することで、識別表示部１３で取得した固有情報を管理センター（図示略）の操作者データベースと照合することができる。
そして、このシート制御部１５では、タブレット端末３０により、識別表示部１３で取得した固有情報が操作者データベースと一致したことを条件として、当該固有情報を有効としても良い。また、これに限定されず、シート制御部１５では、操作者の固有情報を操作者の身分証明書２０からではなく、タブレット端末３０を介して操作者データベースから取得するようにしても良い。
【００２８】
さらに、シート制御部１５では、画像撮影部１４で撮影した識別表示部１３の撮影画像が、予め記憶された標準画像と所定以上の一致度であることを条件として画像情報を有効としても良い。
【００２９】
次に、図６を参照して画像入力装置１０１による原稿Ｍの読取り手順について説明する。
〔ステップＳ１〕
まず、原稿台となる載置面１１に原稿Ｍを置く。
【００３０】
〔ステップＳ２〕
載置面１１に置いた原稿Ｍ上に透明なカバー部材１２を載せて、該原稿Ｍの皺伸ばしをする。ここでカバー部材１２は、ある重量を持っていることから、この重量が原稿Ｍに継続的に作用すると、時間の経過とともに原稿Ｍが変形し、限りなく載置面１１、カバー部材１２、がなす平面に近い平面に倣った形状となる。
【００３１】
〔ステップＳ３〕
操作者の身分証明書２０から通信手段２１を通じて、該操作者の会社名、所属、氏名などの固有情報を取得するとともに、全地球無線測位システム２２を通じて現在時刻、作業場所などの付加情報を取得する。
【００３２】
〔ステップＳ４〕
ステップ３で取得した固有情報及び付加情報を、透明カバー部材１２上の識別表示部１３上に表示させる。
【００３３】
〔ステップＳ５〕
画像撮影部１４の撮影カメラ１８にて、載置面１１に置いた原稿Ｍ及び透明カバー部材１２上の識別表示部１３の表示を撮影する。
【００３４】
〔ステップＳ６〕
カバー部材１２が原稿Ｍを覆った後で予め設定した一定時間経過したか否かを判断し、ＮＯの場合に先のステップ５に戻り、ＹＥＳの場合に次のステップ６に進む。
なお、このステップＳ６にて、カバー部材１２が原稿Ｍを覆った後で予め設定した一定時間経過したか否かを監視するのは、カバー部材１２が皺のある原稿Ｍに確実に密着し、原稿Ｍが平面上に変形するに十分な時間の経過を待つためである。
また、カバー部材１２が原稿Ｍを覆ったか否かは、画像撮影部１４で読み取られる画像情報によりを判断できる。
【００３５】
〔ステップＳ７〕
ステップＳ５の画像撮影部１４で読み取られた固有情報及び付加情報を含む画像情報を有効として本フローを終了する。
【００３６】
そして、以上のような画像入力装置１０１によれば、画像入力装置の載置面１１に原稿Ｍを挟む透明なカバー部材１２が設けられているので、原稿Ｍとなる原稿に皺がある場合に、カバー部材１２に作用する重力により押されて皺が引き伸ばされる。
これにより、上記画像入力装置１０１では、皺の凹凸により撮影画像に陰影が生じて、字が歪んでしまう不具合発生を防止でき、画像撮影部１４にて鮮明な画像撮影を行うことができる。
【００３７】
また、上記画像入力装置１０１では、カバー部材１２が透明な材料で形成されているので、載置面１１上の原稿Ｍをカバー部材１２が覆ったとしても、画像撮影部１４による原稿Ｍの画像撮影に支障が生じることがなく、光学文字認識（ＯＣＲ）などでの誤読や不読発生を未然に防止することができる。
【００３８】
また、上記画像入力装置１０１では、画像撮影部１４において、載置面１１上の原稿Ｍの画像とともにカバー部材１２上に位置する識別表示部１３の画像を同時に撮影することができるので、原稿Ｍの画像中に、識別表示部１３の画像を容易に入れ込むことができる。
このとき、識別表示部１３に表示される画像として、操作者に関する固有情報を通信により取得したものが使用できるので、操作者が面倒な操作をすることなく、自身の正確な固有情報を原稿Ｍの画像中に入れ込むことが可能となる。
さらに、上記画像入力装置１０１では、画像撮影部１４で読み取られる画像情報を、カバー部材１２が原稿Ｍを覆った後、一定時間経過後に有効となるので、画像中に固有情報を確実に入れ込むことが可能となって、装置の信頼性も向上する。
【００３９】
すなわち、上記画像入力装置１０１では、原稿Ｍとなる原稿に皺が入っていたとしても、原稿Ｍにカバー部材１２を被せるという簡易な操作により、原稿Ｍの鮮明な画像撮影を可能とするとともに、当該画像内に操作者の固有情報も同時に含ませることができる、作業性及び信頼性の高い画像入力装置を実現できる。
【００４０】
なお、上記実施形態の動作を示す図６のフローチャートでは、ステップＳ３において、操作者の身分証明書２０から通信手段２１を通じて、該操作者の会社名、所属、氏名などの固有情報を取得し、かつ全地球無線測位システム２２を通じて現在時刻、作業場所などの付加情報を取得するようにした。
これに限定されず、図７のフローチャートのステップＳ３´で示すように、これら固有情報及び付加情報を、図５で示すタブレット端末３０を介して接続された管理センターの操作者データベースから取得するようにしても良い。
また、識別表示部１３は有機ＥＬなどのフレキシブルディスプレイにより構成したが、これに限定されず、固有情報が文字で描かれた文字板により構成しても良い。
また、カバー部材１２の材料には、重量が大きく、平面度を維持するに足る強度を有する点、透明度、耐久性を考慮してガラスが採用されることがあるが、その他、ガラスにはない柔軟性を有する透明な合成樹脂、さらには、ガラスと合成樹脂との積層材料を採用することができる。
【００４１】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４２】
本発明は、銀行等の金融機関で使用できる画像入力装置及び画像入力方法に関する。
【符号の説明】
【００４３】
１  載置面
２  カバー部材
３  識別表示部
４  画像撮影部
５  カバー制御部
６  信号
１１  載置面
１２  カバー部材
１３  識別表示部
１４  画像撮影部
１５  カバー制御部
２０  身分証明書
２１  通信手段
２２  全地球無線測位システム
２３  ＩＣチップ
１００  画像入力装置
１０１  画像入力装置
【図１】
2019176220.tif 000003
【図２】
2019176220.tif 000004
【図３】
2019176220.tif 000005
【図４】
2019176220.tif 000006
【図５】
2019176220.tif 000007
【図６】
2019176220.tif 000008
【図７】
2019176220.tif 000009
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
読取対象が載置される載置面に被せられて、載置面との間に読取対象を挟んで重量を作用させることにより平面に倣った形状に変形させる透明なカバー部材と、
このカバー部材に設けられた識別表示部と、
この識別表示部の画像とともに前記読取対象の画像を撮影する画像撮影部と、
前記画像撮影部で読み取られる画像情報を、前記カバー部材が読取対象を覆った後に有効とする制御部と、を有することを特徴とする画像入力装置。
【請求項２】
前記制御部は、前記画像撮影部で読み取られる画像情報を、前記カバー部材が読取対象を覆ったとの判定がなされた後、に有効とする請求項１に記載の画像入力装置。
【請求項３】
前記識別表示部は、操作者の身分証明書から通信により固有情報を取得して表示することを特徴とする請求項１又は２のいずれか１項に記載の画像入力装置。
【請求項４】
前記制御部は、前記識別表示部で取得した固有情報を操作者データベースと照合して、一致したことを条件として該固有情報を有効とすることを特徴とする請求項１〜３のいずれか１項に記載の画像入力装置。
【請求項５】
前記制御部は、前記識別表示部の撮影画像が、予め記憶された標準画像と所定以上の一致度であることを条件として画像情報を有効とすることを特徴とする請求項１〜４のいずれか１項に記載の画像入力装置。
【請求項６】
前記カバー部材は、前記読取対象を載置面に密着させるために塑性変形可能な材料で形成されていることを特徴とする請求項１〜５のいずれか１項に記載の画像入力装置。
【請求項７】
前記識別表示部には、操作者の前記固有情報とともに、現在時刻、作業場所に関する付加情報が表示されることを特徴とする請求項３又は４のいずれか１項に記載の画像入力装置。
【請求項８】
前記付加情報は、全地球無線測位システムより取得されることを特徴とする請求項７に記載の画像入力装置。
【請求項９】
載置面上に読取対象を挟んだ状態で透明なカバー部材を被せる載置段階と、
操作者に関する固有情報を通信により取得して前記カバー部材の表面に設けられた識別表示部に表示させる情報表示段階と、
前記載置面上の読取対象の画像とともに前記カバー部材上の識別表示部の表示画像を撮影し、その撮影画像を前記カバー部材が読取対象を覆った後に有効とする撮影段階と、を有することを特徴とする画像入力方法。
【請求項１０】
前記載置段階において、前記カバー部材が塑性変形してその重量を読み取り対象に作用させることにより、読み取り対象を平面に倣った形状に変形させることを特徴とする請求項９に記載の画像入力方法。